(57)【要約】【課題】  金属製の台車を形成している金属パイプに装着しても、金属による妨害を防ぐことができ、読み取り装置によって正常に管理データを読み取ることを可能とするＩＣタグ装置を提供する。【解決手段】  ＩＣタグ装着装置１０は、前記最上段の金属パイプ２を内側に挟み込んで本体を固定するためのパッキン部１１と、パッキン部１１の外側に接着される第１の保護層１２と、第１の保護層１２のさらに外側に接着される第２の保護層１３と、第１の保護層１２と第２の保護層１３との間に挟み込まれて固定されているインレット部１４と、パッキン部１１による固定をサポートするためのベルト部１５とを備える。【選択図】  図４
2008210023.tif 000002
【特許請求の範囲】
【請求項１】
金属部材を内側に挟み込んで本体を固定するためのパッキン部と、
前記パッキン部の外側に接着される第１の保護層と、
前記第１の保護層の外側に接着される第２の保護層と、
前記第１の保護層と前記第２の保護層との間に挟み込まれるインレット部と、
前記パッキン部による固定をサポートするためのベルト部と
を備えることを特徴とするＩＣタグ装置。
【請求項２】
前記インレット部は、前記金属製の台車に収納された製品の管理データを格納したＩＣチップがアンテナに接続されて形成されてなることを特徴とする請求項１記載のＩＣタグ装置。
【請求項３】
前記ベルト部は、粘着テープであることを特徴とする請求項１記載のＩＣタグ装置。
【請求項４】
前記第１の保護層及び第２の保護層は、ポリフェニレンサルファイドを材料としていることを特徴とする請求項１記載のＩＣタグ装置。
【発明の詳細な説明】
【技術分野】
【０００１】
本発明はＩＣタグ装置に関し、特に金属製台車に取り付け可能なＩＣタグ装置に関する。
【背景技術】
【０００２】
ＩＣカードを小型化し、タグ状に形成したものは、「ＩＣタグ」と呼ばれ、チップの小型化と低コスト化により、様々な分野における製造・流通・販売等の一括管理によるサプライチェーン・マネジメント（ＳＣＭ）支援や、販売データを活用したカスタマー・リレーションシップ・マネジメント（ＣＲＭ）支援にも活用されている。例えば、医療用のＩＣタグは下記特許文献１に開示されている。
【０００３】
例えば、流通、製造、販売の分野においては、食料品、雑貨品、衣類等の製品を倉庫に保管する際に、品名、保管開始日、出荷予定日、或いは消費期限などのデータを管理するためにＩＣタグを使うことが考えられる。このような場合、前記食料品、雑貨品、衣類などの製品は図１に示すような金属製の台車、特にカゴ型の金属製台車１に収納されて倉庫に保管される。多くの場合、カゴ型の金属台車１は金属パイプを縦、横に組み合わせて作られている。また、図２及び図３に示すような形状の金属製台車３及び金属製カゴ５に前記食料品などが収納されて倉庫に保管される。もちろん、台車３は金属パイプ４などにより作られている。また、カゴ５も金属６により形成されている。
【特許文献１】特開２００３−０６３６５４号公報
【発明の開示】
【発明が解決しようとする課題】
【０００４】
ところで、前記カゴ型の台車１のように、金属パイプを用いた金属製のカゴ型台車等では、ＩＣタグを何の対策もとらずに金属パイプに装着したのみでは、例えば倉庫の出入り口等に設置されている読み取り装置側にて前記ＩＣチップに記載されたデータを読み取ることが出来ないという問題が生じる。これは、ＩＣタグを金属パイプ、或いは金属に接近して装着すると電波、例えばＵＨＦ波が金属によって妨害されてしまうからである。
【０００５】
本発明は、前記実情に鑑みてなされたものであり、金属製の台車を形成している金属パイプに装着しても、金属による妨害を防ぐことができ、読み取り装置によって正常に管理データを読み取ることを可能とするＩＣタグ装置の提供を目的とする。
【０００６】
さらに、前記金属製の台車に装着しても耐衝撃性、断熱性に優れ、倉庫に保管する際、或いは冷蔵庫、冷凍庫に保管する際に手間を掛けることがないＩＣタグ装置の提供を目的とする。
【課題を解決するための手段】
【０００７】
本発明に係るＩＣタグ装置は、前記課題を解決するために、金属製のパイプを組み合わせて形成された台車に装着するためのＩＣタグ装置であって、前記金属製パイプを内側に挟み込んで本体を固定するためのパッキン部と、前記パッキン部の外側に接着される第１の保護層と、前記第１の保護層の外側に接着される第２の保護層と、前記第１の保護層と前記第２の保護層との間に挟み込まれるインレット部と、前記パッキン部による固定をサポートするためのベルト部とを備える。
【０００８】
このためインレット部は、第１の保護層により金属製パイプから離間される。よって、金属製パイプからの妨害を防ぐことができる。
【０００９】
前記インレット部は、前記金属製の台車に収納された製品の管理データを格納したＩＣチップがアンテナに接続されて形成されてなる。また、前記ベルト部は、粘着テープである。また、前記第１の保護層及び第２の保護層は、ポリフェニレンサルファイド（ＰＰＳ）を材料としている。
【発明の効果】
【００１０】
本発明に係るＩＣタグ装置によれば、金属製の台車を形成している金属パイプに装着しても、金属による妨害を防ぐことができ、読み取り装置によって正常に管理データを読み取ることを可能とする。
【００１１】
さらに、金属製の台車に装着しても耐衝撃性、断熱性に優れているので、倉庫に保管する際、或いは冷蔵庫、冷凍庫に保管する際に余計な手間を掛けることがなく、容易に作業をすることができる。
【発明を実施するための最良の形態】
【００１２】
以下、本発明を実施するための最良の形態について図面を参照しながら説明する。
【００１３】
図４は実施の形態であるＩＣタグ装置の外観斜視図である。また、図５はＩＣタグ装置の底面側から見た外観図である。このＩＣタグ装置１０は、前述の図１に示したカゴ型金属製台車１の最上段の金属パイプ２に装着される。もちろん、その使用は、カゴ型金属製台車１にのみ限定されるものではなく、図２に示した金属製台車３またはカゴ５の金属パイプ４，６にも適用できる。
【００１４】
図４及び図５に示すように、ＩＣタグ装置１０は、カゴ型金属製台車１の前記最上段の金属パイプ２を内側に挟み込んで本体を固定するためのパッキン部１１と、パッキン部１１の外側に接着される第１の保護層１２と、第１の保護層１２のさらに外側に接着される第２の保護層１３と、第１の保護層１２と第２の保護層１３との間に挟み込まれて固定されているインレット部１４と、パッキン部１１による固定をサポートするためのベルト部１５とを備える。
【００１５】
前記金属製のカゴ型台車１の前記金属パイプ２は、例えば径が２５ｍｍの金属パイプである。よってパッキン部１１は径２５ｍｍ金属パイプ２用である。例えばプラスチックを材料とし、少なくとも２箇所にハガネ製のバネを設けたワンタッチ固定が可能なパッカーである。このパッキン部１１は長手方向の長さが例えば少なくとも１２０ｍｍ以上である。
【００１６】
また、第１の保護層１２は厚みが例えば１０ｍｍであり、例えばポリフェニレンサルファイド（ＰＰＳ）を材料としている。このＰＰＳは、いわゆるフォーム材である。耐衝撃性、或いは衝撃吸収性に優れておりクッション機能を有し、かつ断熱性にも優れている。この第１の保護層１２の長手方向の長さは、例えば１２０ｍｍである。
【００１７】
また、第２の保護層１３は厚みが例えば５ｍｍであり、第１の保護層１２と同様に例えばＰＰＳを材料としている。この第２の保護層１３の長手方向の長さも、例えば１２０ｍｍである。
【００１８】
よって、第１の保護層１２及び第２の保護層１３を重ねた厚さは少なくとも１５ｍｍである。これに、接着シート、インレット１４及び前記金属パイプ用の２５ｍｍを加算すると、ＩＣタグ装置の本体の断面の径は約６０ｍｍとなる。また、金属パイプ２とインレット１４との距離は、少なくとも１０ｍｍである。
【００１９】
ベルト部１５は、例えば粘着テープよりなり、パッキン部による固定をサポートするために用いられる。特に、金属パイプを挟んだ状態で回転しまうのを防ぐために用いる。もちろん、脱落を防止するためにも働く。これは、インレット部１４を常に上部に向け、例えば出入り口の上部に取り付けられた読み取り装置による前記管理データの読み取りを容易にするためである。
【００２０】
図６は、ＩＣタグ装置１０の正面図（ａ）、平面図（ｂ）、底面図（ｃ）、右側面図（ｄ）、背面図（ｅ）、及び右側面図におけるＡ−Ａ断面図（ｆ）である。なお、Ａ−Ａ断面図（ｆ）は、説明をしやすくするために縦方向に若干拡大している。
【００２１】
図６の右側面図（ｄ）を参照すると、金属パイプ２とインレット１４との間には第１の保護層１２が形成されているので、金属パイプ２による妨害を防ぐことができるのが明らかである。
【００２２】
インレット部１４は、ＩＣチップとＵＨＦアンテナとを接続してなる。インレット部１４は、金属製の台車１に収納された製品の管理データを格納したＩＣチップがアンテナに接続されて形成されてなる。つまり、インレット部１４は、前記金属製の台車１に収納された製品の管理データを格納したＩＣチップがアンテナに接続されて形成されてなる。ここでいう管理データは、品名、保管開始日、出荷予定日、或いは消費期限などのデータである。製品を積載したカゴ型台車をそのまま倉庫等に出し入れするときに、入出庫の管理を台車単位で可能にする。
【００２３】
例えば、カゴ型の金属製台車１の最上部の金属パイプ２に本実施の形態のＩＣタグ装置１０を装着する。例えば倉庫の出入り口付近の上部に設置された読み取り装置は、金属パイプによる電波障害の影響を受けることなく、インレット部１４内のＩＣチップに格納された前記管理データを正常に読み取ることができる。よって、例えばスーパーマーケットでの使用に際しては、倉庫内にカゴ単位で収納されている製品の管理を簡便に行うことができる。
【００２４】
また、冷蔵庫、冷凍庫にカゴ型台車単位で製品を格納する場合にも、インレット部１４は金属パイプから第１の保護層１２で保護され、さらに第２の保護層１３によっても外部と隔離される。また、金属製の台車に装着しても耐衝撃性、断熱性に優れているので、倉庫に保管する際、或いは冷蔵庫、冷凍庫に保管する際に動作が保証されるとともに作業者の負担が軽減される。
【図面の簡単な説明】
【００２５】
【図１】カゴ型の金属製台車の外観図である。
【図２】他の台車の外観図である。
【図３】買い物カゴの外観図である。
【図４】本発明の実施の形態となるＩＣタグ装置の外観斜視図である。
【図５】前記ＩＣタグ装置の他の角度からの外観図である。
【図６】ＩＣタグ装置の正面図、上面図、側面図等である。
【符号の説明】
【００２６】
１０  ＩＣタグ装置
１１  パッキン部
１２  第１の保護層
１３  第２の保護層
１４  インレット部
１５  ベルト部
【図１】
2008210023.tif 000003
【図２】
2008210023.tif 000004
【図３】
2008210023.tif 000005
【図４】
2008210023.tif 000006
【図５】
2008210023.tif 000007
【図６】
2008210023.tif 000008